(57)【要約】【課題】  使用者が操作方法が分からないときにだけ、操作方法を報知し、他の余計な情報を使用者に与えないことで、不快感を与えない調理器を提供することである。【解決手段】  加熱手段と、使用者に音で報知するスピーカ１５と、加熱手段を駆動させる操作部１１とを有し、前記加熱手段を駆動させる前記操作部１１の操作順序を記憶する制御装置２０と、前記制御装置２０に記憶される操作順序以外の操作がされた場合で、使用者が所定の操作をした時に前記スピーカで報知することを判断する制御装置２０とを有し、この制御装置２０が報知することを判断した時に、前記スピーカ１５により使用者に操作順序についての情報を報知することを特徴とする加熱調理器。【選択図】  図１
2008091251.tif 000002
【特許請求の範囲】
【請求項１】
加熱手段と、
使用者に音で報知する報知手段と、
加熱手段を駆動させる複数の操作手段とを有し、
前記加熱手段を駆動させる前記複数の操作手段の操作順序を記憶する記憶手段と、
前記記憶手段に記憶される操作順序以外の操作がされた場合で、使用者が所定の操作を
した時に前記報知手段で報知することを判断する判断手段とを有し、
この判断手段が報知することを判断した時に、前記報知手段により使用者に操作順序に
ついての情報を報知することを特徴とする加熱調理器。
【請求項２】
記憶手段は、加熱手段を駆動できない所定の状態であるときに、加熱手段を駆動させな
いように制限する加熱不可条件を記憶し、
前記判断手段は、加熱不可条件に該当する状態である場合であって、使用者が所定の操
作をした際に報知する判断をすることを特徴とする請求項１記載の加熱調理器。
【請求項３】
前記判断手段は、同じ操作手段に対して複数回同じ操作がされた時に報知する判断をす
ることを特徴とする請求項１または請求項２記載の加熱調理器。
【請求項４】
前記判断手段は、前記複数の操作手段を交互に押す操作がされたときに報知する判断を
することを特徴とする請求項１記載の加熱調理器。
【請求項５】
報知手段が操作手順についての情報を報知しているときに、記憶手段に記憶された適切
な操作順序が操作されたときは、報知を中断することを特徴とする請求項１乃至４記載の
加熱調理器。
【発明の詳細な説明】
【技術分野】
【０００１】
本発明は、使用者に報知する加熱調理器に関する。
【背景技術】
【０００２】
近年、音声による報知手段を有し、使用者に情報を知らせる調理器が提供されているが
、さまざまな情報に対して報知し、毎回同じことを報知することにより、使用者がすでに
認識している情報さえも報知されることで、使用者に不快感を与えてしまう恐れがあった
。  
例えば、特許文献１の調理器では、操作手段であるロータリーエンコーダを回す速度を
検知して操作音が後から遅れてこないように操作音を鳴らすスピードを変化させて、報知
音を報知するタイミングにふさわしい音を選択するものが提供されている。  
また特許文献２の調理器では、音声案内をするタイミングそれぞれに報知レベルを設け
、機能を熟知している場合は報知レベルを変更して音声案内をするタイミングを減らすと
いうものが提供されている。また、繰り返し回数に制限を設け、よく使う機能については
繰り返して案内が出るので制限値を超えると案内されなくなり、使いなれない機能につい
てのみ案内がされるようにしている。
【特許文献１】特開２００５−１０７４２５号公報
【特許文献２】特開２００３―１５０１６７号公報
【発明の開示】
【発明が解決しようとする課題】
【０００３】
しかしながら、特許文献１の方法であると毎回使うたびに音声案内がされるので使い慣
れた操作に対してもいちいち案内されるのでユーザに不快感を覚えさせるという問題があ
った。  
また特許文献２の調理器では、単一ユーザであれば効果的に作用するが、複数のユーザ
が調理器を使用する場合に、通常使用するユーザ用にその調理器が設定されてしまうと、
通常使用しないユーザが使う場合、使い慣れない操作も音声案内されないので使いにくい
という問題があった。  
本発明は上記事情に鑑みてなされたものであり、その目的は多機能化して操作が複雑と
なっている調理器の操作方法を使用者に報知するときに、使用者が操作方法が分からない
ときにだけ、操作方法を報知し、他の余計な情報を使用者に与えないことで、不快感を与
えない調理器を提供することである。
【課題を解決するための手段】
【０００４】
上記目的を達成するために、本発明による加熱調理器は、加熱手段と、使用者に音で報
知する報知手段と、加熱手段を駆動させる複数の操作手段とを有し、前記加熱手段を駆動
させる前記複数の操作手段の操作順序を記憶する記憶手段と、前記記憶手段に記憶される
操作順序以外の操作がされた場合で、使用者が所定の操作をした時に前記報知手段で報知
することを判断する判断手段とを有し、この判断手段が報知することを判断した時に、前
記報知手段により使用者に操作手順についての情報を報知することを特徴とする。
【発明の効果】
【０００５】
本発明によれば、操作順序以外の操作がされた場合で、使用者が所定の操作をした時に
、使用者に前記報知手段で操作順序の情報を報知するようにしたので、使用者が調理設定
方法を認識しておらず、つぎに何を操作すればよいかわからず困っていると判断した時に
だけ、使用者に操作方法の情報を報知することで、余計な情報を使用者に与えず、必要な
情報だけ与えることで効率的な操作をすることができる。
【発明を実施するための最良の形態】
【０００６】
本発明に係る誘導加熱調理器の一実施例について、図１乃至図１７を参照して説明する
。  
図１は、加熱調理器の全体を概略的に示した図である。図２は電気的構成を示すブロッ
ク図、図３は操作パネルの拡大図である。図４は調理設定手順を示す図で、図５〜図７は
調理設定手順のフローチャートを示す図である。また図８〜図１７は、報知タイミングの
フローチャートを示す図である。  
図１に示すように、本実施例に係る調理器１は、調理台２内に組み込まれた矩形箱状の
本体ケース３と、その上部開口を塞ぐトッププレート４とを備えて構成されている。  
前記本体ケース３内の上部には、２個の誘導加熱コイル５及び１個のラジエントヒータ
６が配置されて、その上部のトッププレートの位置には、鍋２１などの被加熱調理容器（
調理器具）の載置位置を示す調理領域１７として円形枠１７ａ，１７ｂ，１７ｃが印刷さ
れている。
【０００７】
前記誘導加熱コイル５は、本体ケース３内の前部に左右に並んで配置された支持台にそ
れぞれ載置されている。前記ラジエントヒータ６は、本体ケース３内の後部中央に固定さ
れた断熱容器内に収容されている。  
また、図示しないが、本体ケース３内の下部の右部には、前記誘導加熱コイル５に高周
波電流を供給するインバータ装置１９やマイクロコンピュータを主体とする制御装置２０
、前記インバータ装置や誘導加熱コイル５、ラジエントヒータ６等を冷却するための冷却
ファン等が配置されている。
【０００８】
また、トッププレート４のうち前記円形枠１７ａ，１７ｂの前部には誘導加熱コイル５
の出力状態を表示する出力表示部２２がそれぞれ設けられている。前記出力表示部２２は
トッププレート４の下方部に配置された複数のＬＥＤ２２ａから構成されている。前記Ｌ
ＥＤ２２ａは、前記支持台７の外周部の前半部に取付けられたプリント基板（図示せず）
に実装されている。  
またトッププレート後方には長円形状の開口２３，２４が左右に並んで形成されている
。右側の開口２４からは、前記冷却ファンに向かって延びる吸気ダクトが臨んでいる。ま
た、左側の開口２３には、前記冷却ファンの送風作用によってインバータ装置や誘導加熱
コイル５等の近傍を通過した空気を排出するための排気口（図示せず）やロースタ９の排
気口（図示せず）が臨んでいる。尚、前記吸排気領域１８の上面には、多数の通気孔２６
を有するカバー２７が着脱可能に装着されている。  
一方、本体ケース３内の下部の左部にはシーズヒータ（図示せず）を熱源とするロース
タ９が設けられている。  
また、前記本体ケース３の前面右部には操作パネル１０が設けられている。前記操作パ
ネル１０には、操作部１１と表示部１２とから構成されており、操作部１１は、操作つま
み１３と、キースイッチ１４で構成されている。
【０００９】
つづいて、本実施例に係る誘導加熱調理器の電気的構成を示す。  
図２は本実施例の電気的構成を示すブロック図で、主に制御装置２０と操作部１１、イ
ンバータ装置１９、および表示部１２で構成されている。  
制御装置２０はマイコンを主体として構成されたものであり、操作部１１の出力信号が
入力されるようになっている。前記制御装置２０は、前記操作部１１の出力信号に基づき
表示部１２や、スピーカ１５から報知し、インバータ装置１９を制御して加熱コイル５に
高周波電流を供給を行い、冷却ファン１８を回転させる。
【００１０】
ここで、これら構成の作用について説明する。  
トッププレート４の調理領域１７ａ、１７ｂの一方又は双方に鍋２１を載置して、操作
部１１の入力により、インバータ装置１９を制御して加熱コイル５に高周波電流を供給す
ると加熱を開始する、それと同時に冷却ファン１８が回転する。この冷却ファン１８の回
転により、本体１外の冷却空気が開口２４から本体１内に取り込まれる。  
この取り込まれた冷却空気は、本体ケース３内を冷却した後、トッププレート４上の開
口２３から外部に排気される。
【００１１】
ここで上記した操作パネル１０の具体的な構成について図１、図３により説明する。  
この操作パネル１０は、各種つまみや各スイッチを有しているものであり、右上部には
主電源である電源スイッチ３０が設けられており、その左には使用者に音声報知するスピ
ーカー１５が設けられている。  
そしてその下段に操作部１１のうちのつまみ１３が４つ並んで設けられていて、それぞ
れ左から、各加熱手段の左誘導加熱コイル５ａ、ロースター９、ラジエントヒータ６、右
誘導加熱コイル５ｂを操作する操作つまみであって、その下断に４つのつまみ１３に対応
する表示部１２が設けられている。  
さらにその下段には、４つのつまみに対応して、詳細な加熱調理条件を設定するための
キースイッチ１４が複数設けられている。
【００１２】
前記つまみ１３は、プッシュロック機構により、押圧操作する毎に操作パネル１０と面
一になる収納位置と、前方に突出する突出位置との間で出没変位可能に構成されている。
【００１３】
また、つまみ１３は、突出位置にあるとき、軸を中心に時計回り及び反時計回りの回動操
作が可能に構成されている。  
そして、操作パネル３７の裏面側には、マイクロスイッチが設けられており、つまみが
収納位置にあるときには、マイクロスイッチがオフし、つまみが突出位置にあるときには
、マイクロスイッチがオンするように構成されている。  
この場合、マイクロスイッチのオン，オフ信号は、後述するように、前記制御装置２０
に入力されて各加熱手段の動作を開始（実行）したり、停止するための機能を果たすよう
になっている。  
さらに、操作パネル１０の裏面側には、つまみ１３に対応してロータリーエンコーダが
設けられている。このロータリーエンコーダは、つまみが突出位置にあるときの該つまみ
１３の回動操作方向及び回動量に応じたパルス信号を前記制御装置２０に出力するように
構成されている。これにより、対応する各加熱手段の出力を調節するための機能を果たす
ようになっている。
【００１４】
また夫々のつまみに対応するキースイッチ１４は、自動調理キー３１とタイマーキー３
２とから構成されており、自動調理キー３１は、制御装置２０が予め記憶された調理時間
や、火力の調理方法に基づいて自動調理させるキーであって、誘導加熱コイル５では、「
炒め」、「天ぷら」、「炊飯」、「湯沸し」のスイッチを有しており、ロースタ９では、
「焼き魚（丸身、切身、小魚）」、「トースタ」の機能が使用可能である。
【００１５】
そのほか、通常の加熱で調理時間を設定することができるタイマーキー３２を設けてお
り、タイマーキー３２は、時間を設定する時間キー、分を設定する分キー、タイマーを解
除する取消キーの3つを有している。  
これらキースイッチ１４のうち、例えば、自動調理キー３１の「天ぷら」キーの自動調
理を選択した場合には、被加熱物の温度検知に基づいて被加熱物を設定温度にコントロー
ルするように誘導加熱コイル５ａを制御する「天ぷら調理モード」の実行することができ
る。この際、表示部１２には、「天ぷら調理モード」の表示がされると共に、設定温度表
示がされる。
【００１６】
これらの操作つまみ１３およびキースイッチ１４を使用して、調理を行う為には、予め
マイクロコンピュータに記憶された調理設定手順の通りに設定しないと、調理できないよ
うに機能している。  
この調理設定手順を示す方法を図４に示す。  
この図４には、調理器が有する機能としての「加熱メニュー」と、その機能を実行でき
る「加熱手段」と、その加熱手段で加熱を開始するための「開始操作設定方法」、その加
熱メニューを実行中の「調理中操作設定方法」と、加熱メニューを終了させるための「終
了操作設定方法」、およびその加熱メニューが実行できない「実行不可条件」がそれぞれ
記載されている。  
この内、その加熱手段で加熱を開始するための操作設定方法は、記載されている設定方
法の順番に操作部を操作しないと加熱開始ができないように機能されている。  
なお、自動調理においては、条件によっては実行できない場合を定めている。その条件
が、「実行不可条件」に記載されている。
【００１７】
ここで「加熱メニュー」のそれぞれの調理の「開始操作設定方法」について、フローチ
ャートにより説明する。なお、各調理方法の各判断状態の部分にはタイムアウト時間が設
定されており、一定時間ユーザからの入力がないとキャンセルされるように設定されてい
る。
【００１８】
（１）通常加熱の操作設定方法
図５を参照して説明する。これは通常加熱を行う際の操作ルーチンで、まず、使用する
加熱手段のつまみ１３を出す(ステップＡ１)。するとつまみ１３のマイクロスイッチがオ
ンされ、加熱手段に電源を供給できる状態（加熱準備状態）となる。  
そして、この加熱準備状態の時に、つまみ１３を回す（Ａ２）ことにより、ロータリエ
ンコーダが回転を検知して、その検知に基づき加熱手段に電源が供給されて、加熱手段の
加熱が開始される（Ａ３）。  
そして、加熱開始後では、つまみ１３をさらに回すことによってロータリエンコーダの
出力が検知され、火力の調整が可能となる。  
そして、加熱を終了するときはつまみ１３を収納することにより、マイクロスイッチが
オフされ、加熱手段への電源供給がストップされて、加熱が停止する。
【００１９】
（２）自動調理メニューの操作方法
図６を参照して説明する。まず、使用する自動調理キー３１を押す（Ｂ１）。その時、
自動調理キー３１が押されて自動調理が設定されると、押されたキーの自動調理が実行可
能な状態であるかどうかをチェックする（Ｂ２）。  
このとき実行不可条件（図４参照）である場合には、自動調理実行は受け付けない。  
実行不可条件でない場合には、自動調理ができる状態であるため、自動調理キー３１の
押圧を受け付ける。続いてつまみ１３をプッシュして突出させることにより、自動調理が
実行準備状態となり、その後つまみ１３を回動させることによって、加熱開始がされる。
【００２０】
最後に自動調理が終了した時は、自動的に加熱が停止される。
【００２１】
次にこの自動調理キー３１の操作設定方法について、各種自動調理キーを基に説明する
。  
（２−１）「「炒め物」自動調理の操作設定方法
たとえば左加熱コイルで炒め物を行うときは左加熱コイルの部分の自動調理キー３１を押
す（ステップＢ１）。「炒め」キーを一度押すと、自動調理が設定され、もう一度押すと
自動調理が解除されるように設定されている。  
ここで「炒め」キー３１が押されて自動調理が設定されると、押されたキーの自動調理
が現在実行可能かどうかをチェックし、炒め物の場合は反対側の加熱コイル（この場合は
右加熱コイル）が炒め物をしている場合は左加熱コイルで炒め物はできないように設定さ
れる。  
右加熱コイルが使用されていない場合は、「炒め」調理が実行可能で、「炒め」キー３
１は認識される。  
「炒め」キーが認識された後は、ステップＢ３からＢ４を操作して調理開始することが
できる。
【００２２】
（２−２）「てんぷら」自動調理の操作設定方法
まず、天ぷらキーは複数回押すことで油の量を設定する。天ぷらキーを押すごとに200g
,500g,800g,天ぷら解除を繰り返す。  
たとえば左加熱コイルで天ぷら調理を行うときは左加熱コイルの部分の自動調理キー３
１を押す。  
そして、「天ぷら」キーが押されて自動調理が設定されると、押されたキーの自動調理
が現在実行可能かどうかをチェックし、反対側の加熱コイル（この場合は右加熱コイル）
が「天ぷら」調理をしている場合は左加熱コイルで天ぷらはできないように設定される。
【００２３】
（２−３）「炊飯」自動調理の操作設定方法
「炊飯」キーは複数回押すことで炊飯の量を設定する。「炊飯」キーを押すごとに3合
、2合、１合、解除を繰り返す。  
そして、「炊飯」キーが押されて自動調理が設定されると、押されたキーの自動調理が
現在実行可能かどうかをチェックし、加熱コイルが高温状態であることを検知すれば、「
炊飯」キーの自動調理は不可の設定がされる。  
逆に加熱コイルが高温状態でない場合は、「炊飯」調理を受け付け、その後図６のステ
ップＢ３からＢ４を操作することにより調理開始がされる。  
また自動調理開始後は、「炊飯」調理では調理中は自動で火力が変化するように設定さ
れていて使用者がつまみ１３を回しても火力が変更されないように制限がされている。
【００２４】
（３）タイマー調理の操作方法
このタイマー調理は通常加熱の場合にのみ操作可能であり、図７を参照して説明する。
【００２５】
まず、通常加熱設定操作ルーチン（図５参照）で通常加熱を開始する(Ｃ１)。  
加熱が開始されてからユーザがタイマーキー３２ａを押すと押した回数に応じて時間が
設定される(Ｃ２)。なおこのとき取消キー３２ｃを押すとタイマーがキャンセルされる(
Ｃ３、Ｃ４)。  
そしてタイマーキー３２で時間が設定されるとタイマー調理が開始される(Ｃ５)。  
このとき、調理中につまみ１３を回すことで火力の調整が可能である。  
また加熱は、設定した時間が経過した時に自動で停止して終了する。なお、途中で加熱
を終了したい場合は、つまみ１３を収納することでマイクロスイッチをオフして停止でき
る。
【００２６】
これらのように加熱調理器の加熱メニューの設定方法は、上記のような操作手順を踏ん
でおこなわなければ、調理を実行することができない。  
そこで、本実施例では、使用者に調理設定方法のアドバイスをスピーカ１５で音声報知
することにより、使用者の操作を助ける機能を有している。  
これら音声報知の方法について、例を示して以下に説明する。  
特に、使用者が使用したい機能の操作方法がわからない場合は、手順以外の操作部を押
してしまうことが多く、このような場合に、マイクロコンピュータが「使用者は操作設定
方法を認識していない」と判断して、そのときに使用者に操作手順を報知するようにして
いる。
【００２７】
（４）加熱開始設定時の報知方法
ユーザによっては使用したい機能の操作方法がわからずに操作して、不適切なボタンを
複数回押す場合がある。このような場合に調理器は、「使用者は適切な操作方法を認識し
ていない」と判断して、音声報知をすることでユーザに適切な操作方法を教えるように設
定している。
【００２８】
（４−１）通常加熱の場合
（４−１−１）通常加熱でタイマー調理を設定する場合
通常加熱の場合には、図８に示すように、つまみ１３が収納された状態でタイマーキー
３２が押されることがある。  
実際には、タイマー調理操作をする場合には、図７のように、つまみ１３を突出させ、
回動させて加熱開始した後に、タイマーキー３２を操作することで、タイマー調理を開始
させることができるが、この場合、タイマー調理設定操作の手順が誤っている。  
そしてこのタイマーキー３２が３回押された場合に（Ｄ４）、マイクロコンピュータは
、使用者はタイマー調理の適切な操作方法を認識していないと判断して（Ｄ５）、スピー
カ１５により「タイマー調理を使用する場合は、加熱開始した後にタイマーキーを押して
ください」と報知して（Ｄ６）、使用者にタイマーキーの適切な操作方法を報知して教え
る。  
またつまみ１３を突出させた後で回動させていない時に、タイマーキー３２を３回押し
た場合にも、同様にマイクロコンピュータは、使用者は、タイマー調理の適切な操作方法
を認識していないと判断して、スピーカ１５により使用者に適切な操作方法を報知するよ
うに設定されている。
【００２９】
（４−１−２）通常加熱で自動調理を設定する場合
また、通常加熱の場合には、図９に示すように、つまみ１３が収納された状態で自動調
理キー３１が押されることがある。  
自動調理キーのうち「炒め」キーが操作された場合には、実際には図６に示すように「
炒め」キーの設定がオンされているときに、つまみ１３を突出させることで、次のステッ
プＢ４に移行する。また「炒め」キーがもう一度おされると、「炒め」キーの設定がオフ
される状態になる。  
しかしこの時に、「炒め」キーが３回押されると（Ｅ４）、マイクロコンピュータは「
「炒め」キーが必要以上回数押されているから、使用者は、「炒め」調理の操作方法を認
識していない」と判断し（Ｅ５）、使用者にスピーカ１５から「「炒め」キーを押した後
、つまみを出してまわしてください」と報知して設定方法を教える（Ｅ６）ように構成さ
れている。
【００３０】
またつまみ１３を突出させた後で、回動させていない時に、炒めキーを６回押した場合
にも、同様にマイクロコンピュータは、使用者は、タイマー調理の適切な操作方法を認識
していないと判断して、スピーカ１５により使用者に「つまみを回してください」と適切
な操作方法を報知するように設定されている。  
なお、この報知が行われているときに、適切な次の操作がされた場合は、途中で報知が
停止し、加熱が開始される。
【００３１】
一方、自動調理キー３１のうち、「天ぷら」キーや、「炊飯」キーが押された場合には
、それぞれ複数回押すことにより、油量や炊飯の量を設定するように構成されているため
、この自動調理の設定がオフに戻るまでの周期が３回繰り返された時にそれぞれ報知する
ように設定している。
【００３２】
（４−１−３）通常加熱を設定する場合
通常加熱は、つまみ１３を出して回したときに加熱開始がされる。  
しかし使用者によっては、つまみ１３を出すだけで加熱が開始されると勘違いしていて
、加熱が開始されないことが故障だと判断してしまい、何度もつまみ１３の出入を繰り返
してしまうことがある。  
例えば、図１０に示すように、通常加熱調理をしたい場合に、まずつまみ１３を出す。
【００３３】
このときに、使用者がつまみ１３を３回繰り返して出し入れした時（Ｆ２）は、マイク
ロコンピュータは「使用者は通常加熱の設定方法を認識していない」と判断し（Ｆ５）、
使用者に、「加熱開始するにはつまみを回してください」と報知して、適切な設定方法を
教える（Ｆ６）。  
なお、この場合スピーカーから使用者から報知しているときに、使用者がつまみを出し
た状態で回動させた場合は、途中で報知が停止し、加熱が開始される。
【００３４】
（４−２）自動調理加熱の場合
次に自動調理の場合について図１１を参照して説明する。  
自動調理ではまず最初に自動調理キー３１を押す。  
自動調理をする場合はタイマーで時間を指定することはできないように設定がされてい
る為、自動調理キー３１を押したあとにタイマーキー３２を押しても反応しない構成をし
ている。  
これを知らない使用者が間違ってタイマーキー３２を複数回押す場合があり、３回連続
して押された場合（ｆ３）には、マイクロコンピュータは、「使用者は、自動調理の設定
方法を認識していない」と判断し（ｆ１０）、使用者に「タイマー調理は、自動調理では
使用できません。」と報知して、使用者にタイマー調理は使用できないことを認識させる
（ｆ１１）。  
この報知中に、使用者が操作つまみを出したときは、マイクロコンピュータは、使用者
は「自動調理開始をするための適切な操作であるから、ユーザは適切な操作方法を知って
いる」と判断し、音声報知は中断される。
【００３５】
また、自動調理キー３１を押した後にさらにつまみ１３を押した場合、つまみ１３が収
納されると自動調理キー３１で設定した自動調理機能が解除される。  
そして、使用者がさらにつまみを複数回押した場合（ｆ５）は、マイクロコンピュータ
は、「使用者は、自動調理の設定方法を認識していない」と判断し（ｆ１０）、「自動調
理を行うには自動調理キーを押してつまみを出して回してください」と報知し、既に自動
調理の設定が解除されていることから、自動調理の最初の操作方法からやり直す案内を行
う。  
そして使用者は自動調理の設定方法を初めからやり直さなければいけないことを認識す
る。  
また、つまみ１３を出した状態で自動調理キー３１を押しても反応しないのでこれを複
数回押すと「自動調理はすでに設定されています」と報知され、自動調理キー３１がこの
段階で反応しないことを案内する（ｆ６、ｆ１０、ｆ１１）。  
また、この段階でタイマーキー３２を複数回押したときも同じように「タイマーは自動
調理では使用できません」と発声する（ｆ７、ｆ１０、ｆ１１）。
【００３６】
（４−３）タイマー調理加熱の場合
次にタイマー設定を行う場合について述べる。  
タイマー設定時の報知方法について図１２を参照して説明する。  
前述したように加熱開始（Ｇ１）後、タイマーを使用したい場合タイマーキー３２を押
すことでタイマー設定が可能となる。  
このタイマーキー３２は「時」「分」があり、時間は「時」キーを押すごとに１時間ず
づ増え、最大９時間まで設定できるようにされており、分は「分」キーを押すことで１０
分ずづ増え５０分まで設定できるように構成されている。  
そして「時」キーは１０回押すと０に戻り、「分」キーは６回押すと０に戻るようにな
るが、自動調理キー３１が複数回押せば解除になった構成と異なり、タイマーキー３２は
一度押すと解除されることがなく、解除するには「取消」キーを押す必要がある。  
使用者が、タイマー設定を解除したい場合に、この「取消」キーを押すことを知らない
時は、使用者は自動調理キー３１と同じように複数回押せば解除になると思い、タイマー
キー３２を何度も押す恐れがある。
【００３７】
そこで、「時」キー、「分」キーの１周期を１０回押圧、６回押圧することとして、こ
の周期を３回行った場合（Ｇ３）には、マイクロコンピュータは、「使用者はタイマー調
理設定方法を認識していない」と判断し（Ｇ４）、「時間を設定するとタイマーがスター
トします。解除する場合には「取消」キーを押してください」と発声し、タイマーの使用
方法を伝える（Ｇ５）。  
また音声案内中にユーザが「取消」キーを押すとユーザは取消の方法を知っていると判
断され、音声案内を中断する。  
また、「取消」キーを複数回押した場合には「取消キーを１回押すとタイマーが解除さ
れます」と発声し、音声案内を行う（Ｇ６〜Ｇ１０）。
【００３８】
（５）加熱途中の設定方法
これまで、加熱開始をするための手順について説明したが、次は、調理中の報知タイミ
ングについて述べる。  
調理中は図４のようにつまみ１３を回して加熱出力の調整が可能なものと不可能な加熱
メニューを有している。  
つまみ１３を回しても火力・温度などが調整できない加熱メニューは、回したときに何
かしら調理器が反応しない場合この状態では調整できないことが使用者は認識することが
できない。  
そこで、例えば、図１３に示すように、天ぷら調理を開始しているときに、つまみ１３
を複数回転（３回転）回した場合（Ｈ２）は、マイクロコンピュータは、「使用者は加熱
途中の操作方法を認識していない」と判断し、音声で「この機能では火力は自動調整なの
で変更できません」と案内をしてつまみ１３を回しても加熱出力を変更することができな
いことを伝える（Ｈ３）。  
また、調理中に自動調理キー３１を押しても反応しないので、このキーが複数回押され
たときは「調理中は、自動調理キーは無効です」と案内をする（Ｈ４、Ｈ５）。また、自
動調理中はタイマーを使えないので、タイマーキー３２を複数回押した場合は「自動調理
中はタイマーキーは無効です」と案内をする。  
なお音声案内をしている間につまみ１３を押し戻すと調理が終了される（Ｈ６）。この
際は音声案内も中断する。
【００３９】
（６）設定操作時の状態が加熱不可条件である場合
調理器の加熱メニューにおいては図４に示すように状態によっては機能を実行できない場
合がある。  
たとえば表面が高温になっていて高温注意の表示が出ているときには炊飯・湯沸し調理は
実行できないように設定されている。  
また、左右両方の加熱コイルで同時に天ぷらをしたり、炒めものをすることもできない。
【００４０】
また、出力の関係からラジエントヒータ６とロースター９は同時には使用できないように
設定されている。
【００４１】
これらの状態の時に、自動調理キー３１を押しても反応せず機能を実行できないように設
定されている。  
このような時に使用者は、キー操作が実行できず、通常使える機能が一時的に使用できな
いと、普段行っている操作が反映されないことから、調理器が故障であると思い何度もキ
ーを押す恐れがある。  
このようなときに、音声案内を行い使用者に報知させるようにしている。
【００４２】
図１４は、実行不可条件での音声報知のフローチャートである。  
ここでは実行不可条件を有している自動調理について、その操作方法と共に述べる。  
まず、自動調理キー３１を押して（Ｉ１）、調理器1は押された自動調理が現在実行可
能かをチェックする（Ｉ２）。  
ここで図４の実行不可条件に当てはまる状態になっていれば自動調理の設定を受け付け
ずに終了する。  
このとき自動調理キー３１が複数回押されて、ステップＩ１、Ｉ２の状態が繰り返され
たときにマイクロコンピュータは実行できない理由を使用者に音声によって報知する。  
「炒め」キーが押されたときは「左右加熱コイル両方では炒めものはできません」と報
知し、「天ぷら」キーが押された時は「左右加熱コイル両方では天ぷらはできません」、
「炊飯」キーのときは「高温表示が出ているときは炊飯はできません」と報知する。
【００４３】
そして「湯沸し」キー押圧時は「高温表示が出ているときは湯沸しはできません」、「
焼き魚」・「トースター」キーが押された時は「中央ヒータを使用しているときはロース
ターは使用できません」と報知する。  
また、音声案内中につまみ１３を出すと通常加熱を開始するための操作であるので使用
者が自動調理は現在は実行できないことを理解して通常加熱をしようとしているのだと判
断し、音声案内を中止する。  
このようなマイクロコンピュータに予め設定されている実行不可条件によって自動調理
が実行できない場合では、使用者は慣れていないと故障と勘違いすることがあるが、慣れ
てくれば原因がわかっているので、このようにキーを複数回押すことがなくなってくる。
【００４４】
そのため音声案内も慣れていないうちだけ行われ、ユーザに不快感を与えることはない。
【００４５】
（７）設定操作時の使用者の誤操作の他の例
上記したように、使用者が操作方法を認識していない場合、同じキーが複数押された時
にマイクロコンピュータが「使用者は調理設定方法を認識していない」と判断し、使用者
に調理設定方法についてのアドバイスを報知するように構成した。  
ここでは、使用者が他の誤操作をした場合に、「使用者は調理設定方法を認識していな
い」と判断するようにマイクロコンピュータを設定したものである。  
すなわち、使用者は、操作方法が分からない時に、同じキーを複数回押すだけでなく、
複数のキーをランダムに押してみる使用者に対して報知するものである
この使用者に対応するために、マイクロコンピュータは、以下のように判断している。
【００４６】
調理器の主要キーである2種類の「自動調理キー」「タイマーキー」がランダムに押され
たときにも報知するようにする。
【００４７】
（７−１）つまみが突出している場合
例えば図１５に示すように、つまみを出した状態において、自動調理キー３１、タイマ
ーキー３２の複数のキーを交互にランダムに複数個押した場合、最後に押したキーの音声
案内を行うようにさせる（Ｊ２、Ｊ３）。
【００４８】
最後に自動調理キー３１を押した場合は、「自動調理を行うにはつまみをしまった状態
で自動調理キーを押してください」と音声案内を行う。  
また最後にタイマーキー３２を押した場合は、「タイマーを使用するには加熱開始した
状態でタイマーキーを押してください」と音声案内を行う。  
なお、音声案内中につまみ１３を回すと加熱開始するための適切な操作を行っているの
でユーザが適切な操作を知っているものとして音声案内を中断する。
【００４９】
（７−２）つまみが収納している場合
また、つまみが収納されている状態にいても、図１６に示すように、自動調理キー３１
、タイマーキー３２を交互にランダムに複数個押した場合、最後に押したキーの音声案内
を行う。  
最後に押したキーが自動調理キー３１の場合は「自動調理を行うには自動調理キーを押し
てつまみを回してください」と音声案内を行い、最後に押したキーが、タイマーキー３２
の場合は「タイマーを使用するには加熱開始した状態でタイマーキーを押してください」
と音声案内を行う。  
なお、音声案内中につまみ１３を回した場合、加熱開始されるのでユーザが適切な操作を
知っているものとして音声案内を中断する。
【００５０】
（７−３）加熱調理中の場合
図１７は加熱中の場合である。通常加熱の場合、加熱開始した（Ｌ１）あと、自動調理
キー３１の内の複数のキーをランダムに複数個押した場合、「自動調理を行うには自動調
理キーを押してつまみを回してください」と音声案内を行う（Ｌ２、Ｌ３）。  
通常調理の場合、タイマーキー３２を押すとタイマーを設定するので音声案内をしなく
てもキーの効果がわかるので必要ない。  
なお、自動調理の場合においても、自動調理キー３１、タイマーキー３２をランダムに
複数個押した場合、最後に押したキーの音声案内を行う。  
最後に押したキーが自動調理キー３１の場合は「自動調理を行うには一度つまみを戻し
て自動調理キーを押してつまみを回してください」と音声案内を行い、最後に押したキー
がタイマーキー３２の場合は「タイマーは自動調理では使用できません」と音声案内を行
う。なお音声案内中につまみ１３を押し戻すと調理が終了されるので、このときは音声案
内も中断する。
【００５１】
上記した実施例によれば次のような効果を得ることができる。  
加熱手段として、加熱コイル５や、ロースター９、ラジエントヒータ６と、これら加熱
手段を駆動するための操作部１１を有し、操作部１１のつまみ１３（マイクロスイッチ、
ロータリエンコーダ）と、自動調理キー３１や、タイマー調理キー３２などをマイクロコ
ンピュータに記憶された加熱操作設定方法の通りに操作することにより加熱手段を駆動さ
せることができる加熱調理器であって、加熱操作設定方法の手順以外の操作がされた場合
で、その操作が、判断手段であるマイクロコンピュータが「使用者は加熱操作設定方法を
認識していない」と判断する所定の操作をした時に、マイクロコンピュータは報知手段で
あるスピーカから、使用者に加熱操作設定方法の情報をアドバイスするように報知するよ
うに設定した。  
これにより、使用者は、操作手順を誤ったときに所定の操作をした時にだけ、音声で誤
りに気づく報知がされるため、使用者が必要な時だけ情報を知ることができ、余計な情報
が報知されることによって不快な気分になることがない。
【００５２】
そしてこの所定の操作として、つまみ１３を複数回出し入れする、自動調理キー３１を
複数回押すなど、同じ操作手段に対して複数回同じ操作がされた時に「使用者は加熱操作
設定方法を認識していない」と判断し報知させるように設定した。このように使用者が次
に何をすれば良いか分からないときに行うであろう操作を想定して、限定した行為につい
てのみ報知するようにしたため、より限定したときだけ報知されることから、使用者は余
計な情報を聞く必要がなくなる。  
また、所定の操作として自動調理キー３１とタイマー調理キー３２が交互にランダムに
押されるときに「使用者は加熱操作設定方法を認識していない」と判断し報知させるよう
に設定したため、同様に使用者は余計な情報を聞く必要がなくなる。
【００５３】
また加熱手段が駆動できない状態であるときの、加熱不可条件をマイクロコンピュータ
が記憶している場合に、使用者が加熱不可条件の時に、所定の操作をすることによって、
「使用者は加熱操作設定方法を認識していない」と判断し報知するようにした。そのため
、加熱不可条件が設定されているといった特異な状態であって、使用者が慣れてくるまで
認識しにくい設定方法を使用者は知ることができ、効率的に操作することができる。
【図面の簡単な説明】
【００５４】
【図１】調理器の全体の概略図
【図２】電気的構成を示すブロック図
【図３】操作パネルの拡大図
【図４】調理設定手順を示す図
【図５】調理設定手順のフローチャート
【図６】調理設定手順のフローチャート
【図７】調理設定手順のフローチャート
【図８】報知タイミングのフローチャート
【図９】報知タイミングのフローチャート
【図１０】報知タイミングのフローチャート
【図１１】報知タイミングのフローチャート
【図１２】報知タイミングのフローチャート
【図１３】報知タイミングのフローチャート
【図１４】報知タイミングのフローチャート
【図１５】報知タイミングのフローチャート
【図１６】報知タイミングのフローチャート
【図１７】報知タイミングのフローチャート
【符号の説明】
【００５５】
図面中、１は調理器、２は調理台、３は本体ケース、４はトッププレート、５は誘導加
熱コイル、６はラジエントヒータ、９はロースタ、１０は操作パネル、１１は操作部、１
２は表示部、１３は操作つまみ、１４はキースイッチ、１５はスピーカ、１７は調理領域
、１８は冷却ファン、１９はインバータ装置、２０は制御装置、２１は鍋、２２は出力表
示部、２２ａＬＥＤ、２４は開口、２６は通気孔、２７はカバー、３０は電源スイッチ、
３１は自動調理キー、３２はタイマー調理キーを示す。
【図１】
2008091251.tif 000003
【図２】
2008091251.tif 000004
【図３】
2008091251.tif 000005
【図４】
2008091251.tif 000006
【図５】
2008091251.tif 000007
【図６】
2008091251.tif 000008
【図７】
2008091251.tif 000009
【図８】
2008091251.tif 000010
【図９】
2008091251.tif 000011
【図１０】
2008091251.tif 000012
【図１１】
2008091251.tif 000013
【図１２】
2008091251.tif 000014
【図１３】
2008091251.tif 000015
【図１４】
2008091251.tif 000016
【図１５】
2008091251.tif 000017
【図１６】
2008091251.tif 000018
【図１７】
2008091251.tif 000019